(57)【特許請求の範囲】
【請求項１】
キーコードを与える切欠部を形成するブレード部を備えたキープレートと、キープレートの端部に固定された樹脂製のヘッドと、キープレートの長さ方向とほぼ並行にヘッドに形成された空洞部に配置された電子部品と、空洞部を閉塞するキャップとを有する電子部品内蔵キー装置において、
空洞部はキープレートがヘッドにより被覆される境界部に隣接して形成された入口と、入口からキープレートとほぼ並行に延びる一対の側壁と、入口からキープレートとほぼ並行に延びかつ一対の側壁と直角な上壁及び下壁と、側壁、上壁及び下壁の端部に形成された端壁とを備え、
上壁又は下壁の一方のみに傾斜面が形成され、
キャップは、弾性を有する一対の舌片部と、各舌片部の外面に設けられた爪部とを備え、一方の舌片部の爪部は空洞部の上壁又は下壁の傾斜面に当接し、他方の舌片部は下壁又は上壁を押圧することを特徴とする電子部品内蔵キー装置。
【請求項２】
キャップは厚さ方向の中心面に対して対称の形状を有する請求項１に記載の電子部品内蔵キー装置。
【請求項３】
傾斜面はキープレートの長さ方向に対して１５〜９０゜の角度範囲で形成される請求項１に記載の電子部品内蔵キー装置。
【請求項４】
固定型と、固定型に対して移動可能な可動型と、可動型の移動方向とは異なる方向に固定型に対して移動可能でありかつ可動型のみに面して突起部を有するスライド型とからなる成形型を準備する工程と、
固定型にキープレートを配置して、固定型、可動型及びスライド型により型締めする工程と、
固定型、可動型及びスライド型により形成されるキャビティ内に溶融樹脂を注入してキープレートの端部にヘッドを成形する工程と、
可動型を固定型から離間させた後、スライド型をヘッドから離間し、その後、インサート成形したキープレートを離型する工程と、
スライド型によってヘッドに形成された空洞部に電子部品を配置する工程と、ヘッドに形成された空洞部の入口にキャップを装着し、スライド型の突起部により空洞部内に形成された傾斜面にキャップに形成された爪部を当接させる工程を含むことを特徴とする電子部品内蔵キー装置の製造方法。
【発明の詳細な説明】
【０００１】
【発明の属する技術分野】
この発明は、ロック装置の施解錠に使用するキー装置、特にトランスポンダ等の電子部品を内蔵できる電子部品内蔵キー装置及びその製造方法に関連する。
【０００２】
【従来の技術】
例えば、実開平４−６４６２号公報に示される車両用キーは、ロック装置を機械的に解錠するキープレートと、ロック装置に対して空中伝播信号よりなる解錠信号を出力してこれを解錠する発信装置とを備えている。このキーは発信装置を収容した防水ケースとキープレートがインサート成形されたベースとを備え、防水ケース及びベースを取り外し可能に連結される。このようなキー装置は例えば、特公平４−７９５５０号公報又は特開平２−１５６８３５号に示されるトランスポンダが内蔵される。
【０００３】
特開平７−２７９５１０号公報には、複製キーの使用を防止できるキー装置が開示されている。このキー装置は、キーシリンダに設けられたキーシリンダ側信号授受手段と、キーに設けられたキー側信号授受手段とを有し、キーシリンダにキーを差し込んだ際の両信号授受手段間の電波信号の授受によってキーが正規のキーであるか否かが判別される。このキー装置では、キーのキーブランクをインサートモールドすることによって凹所を有する把持部が成形され、凹所内にキー側信号授受手段が配設される。凹所内にキー側信号授受手段を配設してキー装置の十分な強度を確保することができ、キー側に設ける電子部品にインサートモールド時の熱や圧力が及ばない。
【０００４】
特開平７−３１７３９１号公報には、内部に発信素子が組み込まれた発信素子内蔵キーが開示されている。この発信素子内蔵キーは、発信素子と、金属製キー本体の一部がインサート成形されると共に、発信素子が封入状態で組み込まれる硬質非金属容器と、硬質容器の外側に成形された軟質外皮とを有する。金属容器には発信素子が挿入される凹部が形成され、蓋板で閉止される。樹脂容器と蓋板はその外周が軟質の樹脂外皮で成形される。発信素子は硬質の樹脂容器で保護されるので、樹脂外皮の成形時の熱や外力に耐えることができ、キーノブのねじり操作時にも発信素子が保護される。
【０００５】
特開平８−１３８７５号には、発信器等の電子部品をキーの把持部に内蔵する電子部品埋め込みキーが開示されている。このキーに使用されるキープレートは、把持部を型取って樹脂によりモールドされる基部に電子部品を収容する凹部が形成される。
【０００６】
また、前記トランスポンダをキーに内蔵する場合に、従来では、図１２に示すように、キープレート１、トランスポンダ２及びキャップ３とを合成樹脂製の２つの内側カバー４、５で挟持し又は接着した後、外形形状を樹脂でモールドして外側カバー６を形成していた。
【０００７】
【発明が解決しようとする課題】
このため、従来では、部品数が増加すると共にモールド工程を含むキーの製造工程が複雑となり、キーの効率的な量産が妨げられていた。
【０００８】
そこで、この発明は部品数が少なくかつ量産の可能な電子部品内蔵キー装置及びその製造方法を提供することを目的とする。
【０００９】
【課題を解決するための手段】
この発明による電子部品内蔵キー装置は、キーコードを与える切欠部を形成するブレード部を備えたキープレートと、キープレートの端部に固定された樹脂製のヘッドと、キープレートの長さ方向とほぼ並行にヘッドに形成された空洞部に配置された電子部品と、空洞部を閉塞するキャップとを有する。空洞部はキープレートがヘッドにより被覆される境界部に隣接して形成された入口と、入口からキープレートとほぼ並行に延びる一対の側壁と、入口からキープレートとほぼ並行に延びかつ一対の側壁と直角な上壁及び下壁と、側壁、上壁及び下壁の端部に形成された端壁とを備えている。上壁又は下壁の一方のみに傾斜面が形成される。キャップは弾性を有する一対の舌片部と、各舌片部の外面に設けられた爪部とを備え、一方の舌片部の爪部は空洞部の上壁又は下壁の傾斜面に当接し、他方の舌片部は下壁又は上壁を押圧する。
この発明の実施形態では、キャップは厚さ方向の中心面に対して対称の形状を有する。傾斜面はキープレートの長さ方向に対して１５〜９０゜の角度範囲で形成される。
この発明による電子部品内蔵キー装置の製造方法は、固定型と、固定型に対して移動可能な可動型と、可動型の移動方向とは異なる方向に固定型に対して移動可能でありかつ可動型のみに面して突起部を有するスライド型とからなる成形型を準備する工程と、固定型にキープレートを配置して、固定型、可動型及びスライド型により型締めする工程と、固定型、可動型及びスライド型により形成されるキャビティ内に溶融樹脂を注入してキープレートの端部にヘッドを成形する工程と、可動型を固定型から離間させた後、スライド型をヘッドから離間し、その後、インサート成形したキープレートを離型する工程と、スライド型によってヘッドに形成された空洞部に電子部品を配置する工程と、ヘッドに形成された空洞部の入口にキャップを装着し、スライド型の突起部により空洞部内に形成された傾斜面にキャップに形成された爪部を当接させる工程とを含む。
【００１０】
ヘッドに形成された空洞部内に電子部品を配置した後、空洞部の入口にキャップを装着するので、部品数を削減すると共に、製造工数を簡素化することが可能となる。また、成形型によって多数個取りして形成した電子部品内蔵キー装置に対して単一形状のキャップを装着することができる。
製造の際に可動型が移動した後、スライド型をヘッドから離間するので、可動型側でスライド型に形成した突起部をヘッドから無理抜きすることができる。
【００１１】
【実施形態】
以下、この発明による電子部品内蔵キー装置及びその製造方法の実施形態を図１〜図１１について説明する。
図１に示すように、この発明による電子部品内蔵キー装置１０は、キーコードを与える切欠部１７を形成するブレード部１６を備えたキープレート１１と、キープレート１１の端部に固定された樹脂製のヘッド１２と、キープレート１１の長さ方向とほぼ並行にヘッド１２に形成された空洞部１４に配置された電子部品１３と、空洞部１４を閉塞するキャップ１５とを有する。空洞部１４はキープレート１１がヘッド１２により被覆される境界部１８に隣接して形成された入口２０と、入口２０からキープレート１１とほぼ並行に延びる一対の側壁２１、２２と、入口２０からキープレート１１とほぼ並行に延びかつ一対の側壁２１、２２と直角な上壁２３及び下壁２４と、側壁２１、２２、上壁２３及び下壁２４の端部に形成された端壁２５とを備えている。
【００１２】
空洞部１４の入口２０に装着されるキャップ１５は自身の弾性を有する一対の舌片部３０と、一対の舌片部３０の間に形成されたスリット３３と、各舌片部３０の外面に設けられた爪部３１と、突出部３２とを備えている。キャップ１５は厚さ方向の中心面に対して対称の形状を有する。図３〜図５に示すように、上壁２３の一方にはＶ型ノッチ２６を形成する傾斜面２７が形成され、傾斜面２７の横幅はキャップ１５の爪部３１よりやや大きい。傾斜面２７の傾斜角度θはキープレート１１の長さ方向に対して１５〜９０゜の角度範囲で形成される。下壁２４にはＶ型ノッチ２６は形成されない。
【００１３】
電子部品内蔵キー装置１０を製造する際に、まず図６〜図８に示すように、固定型５１と、固定型５１に対して移動可能な可動型５２と、可動型５２の移動方向とは異なる方向、即ちキープレート１１と平行な方向に固定型５１に対して移動可能でありかつ可動型５２のみに面して突起部５３ａ（図９）を有するスライド型５３とからなる成形型５０を準備する。スライド型５３は固定型５１に面する突起を備えていない。成形型５０は２個取りであり、図６〜図８に示す成形型５０から成形されるいずれのヘッド１２の空洞部１４内にも同一形状のキャップ１５を装着することができる。次に、固定型５１にキープレート１１を配置して、固定型５１、可動型５２及びスライド型５３により型締めする。その後、固定型５１、可動型５２及びスライド型５３により形成されるキャビティ５４内に溶融樹脂を注入してキープレート１１の端部にヘッド１２を成形する。続いて、可動型５２を固定型５１から離間させた後、スライド型５３をヘッド１２から離間し、その後、インサート成形したキープレート１１を離型する。製造の際に可動型５２が移動した後、スライド型５３をヘッド１２から離間するので、図９及び図１０に示すように、可動型５２側でスライド型５３に形成した突起部５３ａをヘッド１２から無理抜きすることができる。また、仮に、スライド型５３の固定型に面して突起部を設けると、固定型に面する突起部により空洞部１４の下面がけずれて、無理抜きを良好に行うことができない点に注意すべきである。
【００１４】
更に、スライド型５３によってヘッド１２に形成された空洞部１４に電子部品１３を配置する。最後に、ヘッド１２に形成された空洞部１４の入口２０にキャップ１５を装着する。装着は、入口２０にキャップ１５を挿入させると斜面３０ａが入口２０に当接し、舌片部３０が内側に傾斜する。スライド型５３の突起部５３ａにより空洞部１４内に形成された傾斜面２７にキャップ１５に形成された爪部３１が係止する。図５に示すように、キャップ１５の一方の舌片部３０の爪部３１は空洞部１４の上壁２３の傾斜面２７に当接し、キャップ１５の他方の舌片部３０は下壁２４に反力Ｆを加える。これにより、キャップ１５が空洞部１４内に確実に保持され、空洞部１４からの脱落が阻止される。
【００１５】
本実施形態では、下記の効果が得られる。
（1）  ヘッド１２に形成された空洞部１４内に電子部品１３を配置した後、空洞部１４の入口２０にキャップ１５を装着するので、部品数を削減できる。
（2）  製造工数を簡素化することが可能となる。
（3）  また、成形型５０によって多数個取りすることができる。
（4）  電子部品内蔵キー装置１０に対して単一形状のキャップ１５を装着することができる。
【００１６】
この発明は前記の実施形態に限定されず、変更が可能である。例えば、キャップ１５を図１１に示す形状に形成してもよい。図１１に示すキャップ１５は、一体に形成された４つの舌片部３０と、各舌片部３０に形成された爪部３１とを有し、厚さ方向の中心面に対して対称の形状を有する。また、各舌片部３０を円弧状に外側に突出させ、入口２０に当接する斜面３０ａを形成してもよい。傾斜面２７はＶ型ノッチ２６でなく空洞部１４の奥に延びる溝によって形成してもよい。また、上壁２３に形成せず、下壁２４にのみＶ型ノッチ２６による傾斜面２７を形成してもよい。
【００１７】
【発明の効果】
上記のように、この発明では、少ない部品数で量産の可能な電子部品内蔵キー装置が得られ、製造時の省資源及び省エネルギ並びに製造時間の短縮を図ることができる。
【図面の簡単な説明】
【図１】  この発明による電子部品内蔵キー装置を一部破断断面で示す斜視図
【図２】  図１の電子部品内蔵キー装置に使用するキャップの斜視図
【図３】  ヘッドの空洞部にキャップを装着する前の状態を示す断面図
【図４】  ヘッドの空洞部にキャップを装着する途中の状態を示す断面図
【図５】  ヘッドの空洞部にキャップを装着した後の状態を示す断面図
【図６】  この発明による電子部品内蔵キー装置のモールド成形を行う成形型の平面図
【図７】  図６の断面図
【図８】  図６の成形型の可動型を移動した状態の断面図
【図９】  スライド型をヘッドから移動する前の状態を示す断面図
【図１０】  スライド型をヘッドから移動する途中の状態を示す断面図
【図１１】  キャップの他の実施形態を示す斜視図
【図１２】  従来の電子部品内蔵キー装置の分解斜視図
【符号の説明】
１０・・電子部品内蔵キー装置、  １１・・キープレート、  １２・・ヘッド、１３・・電子部品、  １４・・空洞部、  １５・・キャップ、  １６・・ブレード部、  １７・・切欠部、  １８・・境界部、  ２０・・入口、  ２１、２２・・側壁、  ２３・・上壁、  ２４・・下壁、  ２５・・端壁、  ２６・・Ｖノッチ、  ２７・・傾斜面、  ３０・・舌片部、  ３１・・爪部、  ３２・・突出部、
【図１】
0003770650.tif 000002
【図２】
0003770650.tif 000003
【図３】
0003770650.tif 000004
【図４】
0003770650.tif 000005
【図５】
0003770650.tif 000006
【図６】
0003770650.tif 000007
【図７】
0003770650.tif 000008
【図８】
0003770650.tif 000009
【図９】
0003770650.tif 000010
【図１０】
0003770650.tif 000011
【図１１】
0003770650.tif 000012
【図１２】
0003770650.tif 000013